【手続補正書】
【提出日】平成30年6月20日(2018.6.20)
【手続補正１】
【補正対象書類名】明細書
【補正対象項目名】００１３
【補正方法】変更
【補正の内容】
【００１３】
上記目的を達成するため、本発明の楽音発生装置は、
異なる音高が割り当てられる複数の操作子と、
前記複数の操作子のうち少なくとも１つの操作子を指定する第１の操作を検出した場合に、当該第１の操作で指定された操作子に割り当てられた音高で発音を発音部に指示し、
前記第１の操作の後に、前記第１の操作で指定された操作子の領域内で第２の操作を検出した場合に、前記第１の操作により発音指示された音高の楽音に対して、前記第２の操作に応じたレートまたはデプスでモジュレーションを行う楽音加工効果を付与して、前記楽音加工効果が付与された楽音の発音を前記発音部に指示する効果付与制御部と、
を具備することを特徴とする。
【手続補正２】
【補正対象書類名】明細書
【補正対象項目名】００１４
【補正方法】変更
【補正の内容】
【００１４】
本発明の楽音発生方法は、
異なる音高が割り当てられる複数の操作子を備える楽音発生装置で実行される方法であって、
前記複数の操作子のうち少なくとも１つの操作子を指定する第１の操作を検出した場合に、当該第１の操作で指定された操作子に割り当てられた音高で発音を発音部に指示し、
前記第１の操作の後に、前記第１の操作で指定された操作子の領域内で第２の操作を検出した場合に、前記第１の操作により発音指示された音高の楽音に対して、前記第２の操作に応じたレートまたはデプスでモジュレーションを行う楽音加工効果を付与して、前記楽音加工効果が付与された楽音の発音を前記発音部に指示する
ことを特徴とする。
【手続補正３】
【補正対象書類名】明細書
【補正対象項目名】００１５
【補正方法】変更
【補正の内容】
【００１５】
本発明のプログラムは、
異なる音高が割り当てられる複数の操作子を備える楽音発生装置として用いられるコンピュータに、
前記複数の操作子のうち少なくとも１つの操作子を指定する第１の操作を検出した場合に、当該第１の操作で指定された操作子に割り当てられた音高で発音を発音部に指示するステップと、
前記第１の操作の後に、前記第１の操作で指定された操作子の領域内で第２の操作を検出した場合に、前記第１の操作により発音指示された音高の楽音に対して、前記第２の操作に応じたレートまたはデプスでモジュレーションを行う楽音加工効果を付与して、前記楽音加工効果が付与された楽音の発音を前記発音部に指示するステップと、
を実行させることを特徴とするプログラム。
【手続補正４】
【補正対象書類名】特許請求の範囲
【補正対象項目名】全文
【補正方法】変更
【補正の内容】
【特許請求の範囲】
【請求項１】
異なる音高が割り当てられる複数の操作子と、
前記複数の操作子のうち少なくとも１つの操作子を指定する第１の操作を検出した場合に、当該第１の操作で指定された操作子に割り当てられた音高で発音を発音部に指示し、
前記第１の操作の後に、前記第１の操作で指定された操作子の領域内で第２の操作を検出した場合に、前記第１の操作により発音指示された音高の楽音に対して、前記第２の操作に応じたレートまたはデプスでモジュレーションを行う楽音加工効果を付与して、前記楽音加工効果が付与された楽音の発音を前記発音部に指示する効果付与制御部と
を具備する楽音発生装置。
【請求項２】
前記楽音加工効果は、発音楽音の音高をモジュレーションするビブラート効果、発生楽音の音色をモジュレーションするワウワウ効果、発生楽音の音量をモジュレーションするトレモロ効果のうちの少なくとも１つを含む、請求項１に記載の楽音発生装置。
【請求項３】
前記効果付与制御部は、前記第２の操作に応じて楽音加工効果を付与するか否かを決定するとともに、前記第２の操作に応じてモジュレーションを行う際のレートまたはデプスを決定する、請求項１または２に記載の楽音発生装置。
【請求項４】
前記第２の操作は、操作者が操作パネルの前記指定された操作子上を双方向に複数回数スライドすることを繰り返す操作であり、前記スライドの操作回数が決められた回数以上である場合に、楽音加工効果を付与すると決定することを特徴とする請求項３に記載の楽音発生装置。
【請求項５】
前記効果付与制御部は、前記第２の操作の操作速度および操作幅に応じて、前記モジュレーションを行う際のレートおよびデプスを決定する、請求項１乃至４の何れかに記載の楽音発生装置。
【請求項６】
前記効果付与制御部は、前記第２の操作の操作速度と前記モジュレーションを行う際のレートとの関係、および前記第２の操作の操作幅と前記モジュレーションを行う際のデプスとの関係を予め規定しておき、前記規定された関係に基づいて、前記第２の操作の操作速度および操作幅に対応する前記モジュレーションのレートおよびデプスを決定する、請求項５に記載の楽音発生装置。
【請求項７】
前記第２の操作は、操作者が操作パネルの前記指定された操作子上を双方向に複数回数スライドすることを繰り返す操作であり、前記スライドの操作回数が決められた回数以上である場合に、楽音加工効果を付与すると決定することを特徴とする請求項３に記載の楽音発生装置。
【請求項８】
前記効果付与制御部は、前記第２の操作の操作幅の中心が、前記第１の操作で指定された操作子の領域内である場合に、楽音加工効果を付与すると決定する、請求項３に記載の楽音発生装置。
【請求項９】
前記効果付与制御部は、前記第２の操作に応じた楽音加工効果の付与中に、前記第２の操作の操作幅の中心が、前記第１の操作で指定された操作子の領域内から外れた場合に、楽音加工効果の付与を停止する、請求項８に記載の楽音発生装置。
【請求項１０】
前記複数の操作子が表示されている操作パネルをさらに備えることを特徴とする請求項１乃至９の何れかに記載の楽音発生装置。
【請求項１１】
少なくとも上記請求項１乃至１０の何れかに記載の楽音発生装置と、
前記効果付与制御部によって指示された楽音を発生する発音部と、
を具備することを特徴とする電子楽器。
【請求項１２】
異なる音高が割り当てられる複数の操作子を備える楽音発生装置で実行される方法であって、
前記複数の操作子のうち少なくとも１つの操作子を指定する第１の操作を検出した場合に、当該第１の操作で指定された操作子に割り当てられた音高で発音を発音部に指示し、
前記第１の操作の後に、前記第１の操作で指定された操作子の領域内で第２の操作を検出した場合に、前記第１の操作により発音指示された音高の楽音に対して、前記第２の操作に応じたレートまたはデプスでモジュレーションを行う楽音加工効果を付与して、前記楽音加工効果が付与された楽音の発音を前記発音部に指示する
ことを特徴とする楽音発生方法。
【請求項１３】
異なる音高が割り当てられる複数の操作子を備える楽音発生装置として用いられるコンピュータに、
前記複数の操作子のうち少なくとも１つの操作子を指定する第１の操作を検出した場合に、当該第１の操作で指定された操作子に割り当てられた音高で発音を発音部に指示するステップと、
前記第１の操作の後に、前記第１の操作で指定された操作子の領域内で第２の操作を検出した場合に、前記第１の操作により発音指示された音高の楽音に対して、前記第２の操作に応じたレートまたはデプスでモジュレーションを行う楽音加工効果を付与して、前記楽音加工効果が付与された楽音の発音を前記発音部に指示するステップと、
を実行させることを特徴とするプログラム。